(57)【要約】      （修正有）【課題】異なる機種の画像形成装置を使用する場合でも、ユーザが認証に成功した後に前回ログアウト直前に使用した画面を表示させることができる認証システム等を提供する。【解決手段】認証システムは、ユーザ識別情報と、ログアウトした日時情報と、使用した機器の機器識別情報と、ログアウトする直前の表示画面の画面識別情報とが対応付けられた複数のユーザ画面情報を保持し、画面識別情報ごとに、それぞれの機器が画面を表示できるか、又は画面を表示できない場合に代わりに表示させる画面識別情報を対応付けた情報を示す画面対応情報を保持するとともに、受け付けたユーザ識別情報とパスワードの組でユーザを認証した後に、ユーザ識別情報と機器識別情報との組がユーザ画面情報と異なる場合に、画面対応情報を参照して、画面識別情報を表示対象画面として特定し、特定した画面識別情報を用いて前回ログアウト直前に使用した画面を表示させる。【選択図】図４
2015176531.tif 000002
【特許請求の範囲】
【請求項１】
１以上の機器と、通信網を介して前記１以上の機器と接続されるサーバ装置とを含む認証システムであって、
１以上の前記機器の各々は、
前記機器を使用するユーザを識別するユーザ識別情報とパスワードを含み、前記ユーザの認証に用いられる認証情報を受け付ける受付部と、
前記認証情報と、前記ユーザが使用する前記機器を識別する機器識別情報とを含む使用情報を前記サーバ装置に対して送信する使用情報送信部と、を有し、
前記サーバ装置は、
前記ユーザ識別情報と、前記ユーザがログアウトした時の日時を示す日時情報と、前記ユーザが使用した前記機器の機器識別情報と、前記ログアウトする直前に画面に表示した表示画面を識別する画面識別情報とが対応付けられた複数のユーザ画面情報を保持するユーザ画面情報保持部と、
予め登録された前記認証情報を示す登録認証情報を保持する登録認証情報保持部と、
前記使用情報を受け付ける受付部と、
前記登録認証情報と、受け付けた前記使用情報に含まれる前記認証情報が一致する場合に、前記ユーザを認証する認証部と、
前記ユーザを認証した後に、前記使用情報に含まれる前記ユーザ識別情報を含む前記ユーザ画面情報に基づいて、前記画面識別情報を表示対象画面として特定する表示画面特定部と、を有する、
ことを特徴とする認証システム。
【請求項２】
前記表示画面特定部は、前記ユーザを認証した後に、前記ユーザ画面情報の中から、前記使用情報に含まれる前記ユーザ識別情報に対応する前記画面識別情報を表示対象画面として特定する、
ことを特徴とする請求項１に記載の認証システム。
【請求項３】
前記サーバ装置は、
前記画面識別情報ごとに、それぞれの前記機器が前記表示画面を表示できるか、又は前記表示画面を表示できない場合に代わりに表示させる前記画面識別情報を対応付けた情報を示す画面対応情報を保持する画面対応情報保持部を有し、
前記表示画面特定部は、
前記使用情報に含まれる前記認証情報と前記機器識別情報との組が前記ユーザ画面情報と異なる場合に、前記画面対応情報を参照して、前記画面識別情報を表示対象画面として特定する、
ことを特徴とする請求項１に記載の認証システム。
【請求項４】
前記表示画面特定部は、
前記使用情報に含まれる前記ユーザ識別情報と前記ユーザ画面情報の前記ユーザ識別情報とが同一であって、前記使用情報に含まれる前記機器識別情報と前記ユーザ画面情報の前記機器識別情報とが異なる場合に、前記画面対応情報を参照して、前記画面識別情報を表示対象画面として特定する、
ことを特徴とする請求項３に記載の認証システム。
【請求項５】
１以上の前記機器の各々は、
前記ユーザがログアウトする場合に、前記ユーザ識別情報と、前記ログアウトする時の日時を示す日時情報と、前記ユーザが使用した前記機器識別情報と、前記ログアウトする直前に画面に表示した前記画面識別情報とが対応付けられたユーザ画面対応情報を前記サーバ装置に対して送信するユーザ画面対応情報送信部を有し、
前記サーバ装置は、
前記ユーザ画面対応情報を受信して、前記ユーザ画面情報保持部が保持する前記ユーザ画面情報を更新する更新部を有する、
ことを特徴とする請求項１に記載の認証システム。
【請求項６】
前記使用情報送信部は、前記認証情報と、前記ユーザが使用する前記機器識別情報と、前記機器が最初に画面に表示する前記画面識別情報とを含む使用情報を前記サーバ装置に対して送信し、
前記表示画面特定部は、前記ユーザを認証した後に、前記使用情報に含まれる前記ユーザ識別情報を用いて、前記ユーザ画面情報が保持する前記ユーザ識別情報に対応する前記画面識別情報と、前記使用情報に含まれる前記画面識別情報を比較し、前記画面識別情報が同じ場合には前記使用情報に含まれる前記画面識別情報を表示対象画面として特定し、前記画面識別情報が異なる場合には前記ユーザ画面情報が保持する前記ユーザ識別情報に対応する前記画面識別情報を表示対象画面として特定する、
ことを特徴とする請求項１に記載の認証システム。
【請求項７】
前記サーバ装置は、
特定した前記画面識別情報を前記機器に対して送信する画面識別情報送信部を有し、
１以上の前記機器の各々は、
前記画面識別情報ごとに、表示する画面のデータを含む表示画面情報を保持する表示画面情報保持部と、
前記サーバ装置から、特定した前記画面識別情報を受信する画面識別情報受信部と、
受信した前記画面識別情報を用いて、前記表示画面情報保持部が保持する前記表示画面情報を特定して前記表示画面を表示する表示部と、を有する、
ことを特徴とする請求項１に記載の認証システム。
【請求項８】
機器を使用するユーザを識別するユーザ識別情報と、前記ユーザがログアウトした時の日時を示す日時情報と、前記ユーザが使用した機器を識別する機器識別情報と、前記ログアウトする直前に画面に表示した表示画面を識別する画面識別情報とが対応付けられた複数のユーザ画面情報を保持するユーザ画面情報保持部と、
予め登録された、前記機器を使用するユーザを識別するユーザ識別情報とパスワードを含み、前記ユーザの認証に用いられる認証情報を示す登録認証情報を保持する登録認証情報保持部と、
前記認証情報と、前記ユーザが使用する前記機器識別情報とを含む使用情報を受け付ける受付部と、
前記登録認証情報と、受け付けた前記使用情報に含まれる前記認証情報が一致する場合に、前記ユーザを認証する認証部と、
前記ユーザを認証した後に、前記使用情報に含まれる前記ユーザ識別情報を含む前記ユーザ画面情報に基づいて、前記画面識別情報を表示対象画面として特定する表示画面特定部と、
特定した前記画面識別情報を前記機器に対して送信する画面識別情報送信部と、
前記ユーザ識別情報と、前記ログアウトする時の日時を示す日時情報と、前記ユーザが使用した前記機器識別情報と、前記ログアウトする直前に画面に表示した前記画面識別情報とを対応付けた情報を示すユーザ画面対応情報を受信して、前記ユーザ画面情報保持部が保持する前記ユーザ画面情報を更新する更新部と、を有する、
ことを特徴とするサーバ装置。
【請求項９】
前記表示画面特定部は、前記ユーザを認証した後に、前記ユーザ画面情報の中から、前記使用情報に含まれる前記ユーザ識別情報に対応する前記画面識別情報を表示対象画面として特定する、
ことを特徴とする請求項８に記載のサーバ装置。
【請求項１０】
前記画面識別情報ごとに、それぞれの前記機器が前記表示画面を表示できるか、又は前記表示画面を表示できない場合に代わりに表示させる前記画面識別情報を対応付けた情報を示す画面対応情報を保持する画面対応情報保持部を有し、
前記表示画面特定部は、
前記使用情報に含まれる前記認証情報と前記機器識別情報との組が前記ユーザ画面情報と異なる場合に、前記画面対応情報を参照して、前記画面識別情報を表示対象画面として特定する、
ことを特徴とする請求項８に記載のサーバ装置。
【請求項１１】
前記表示画面特定部は、
前記使用情報に含まれる前記ユーザ識別情報と前記ユーザ画面情報の前記ユーザ識別情報とが同一であって、前記使用情報に含まれる前記機器識別情報と前記ユーザ画面情報の前記機器識別情報とが異なる場合に、前記画面対応情報を参照して、前記画面識別情報を表示対象画面として特定する、
ことを特徴とする請求項１０に記載のサーバ装置。
【請求項１２】
前記表示画面特定部は、前記ユーザを認証した後に、前記使用情報に含まれる前記ユーザ識別情報を用いて、前記ユーザ画面情報が保持する前記ユーザ識別情報に対応する前記画面識別情報と、前記使用情報に含まれる前記画面識別情報を比較し、前記画面識別情報が同じ場合には前記使用情報に含まれる前記画面識別情報を表示対象画面として特定し、前記画面識別情報が異なる場合には前記ユーザ画面情報が保持する前記ユーザ識別情報に対応する前記画面識別情報を表示対象画面として特定する、
ことを特徴とする請求項８に記載のサーバ装置。
【請求項１３】
１以上の機器と、通信網を介して前記１以上の機器と接続されるサーバ装置とを含む認証システムの画面表示方法であって、
前記機器を使用するユーザを識別するユーザ識別情報とパスワードを含み、前記ユーザの認証に用いられる認証情報を受け付ける受付ステップと、
前記認証情報と、前記ユーザが使用する前記機器を識別する機器識別情報とを含む使用情報を前記サーバ装置に対して送信する使用情報送信ステップと、
前記ユーザ識別情報と、前記ユーザがログアウトした時の日時を示す日時情報と、前記ユーザが使用した前記機器の機器識別情報と、前記ログアウトする直前に画面に表示した表示画面を識別する画面識別情報とが対応付けられた複数のユーザ画面情報を保持するユーザ画面情報保持ステップと、
予め登録された、前記機器を使用するユーザを識別するユーザ識別情報とパスワードを含み、前記ユーザの認証に用いられる認証情報を示す登録認証情報を保持する登録認証情報保持ステップと、
前記使用情報を受け付ける受付ステップと、
前記登録認証情報と、受け付けた前記使用情報に含まれる前記認証情報が一致する場合に、前記ユーザを認証する認証ステップと、
前記ユーザを認証した後に、前記ユーザ画面情報の中から、前記使用情報に含まれる前記ユーザ識別情報に対応する前記画面識別情報を表示対象画面として特定する表示画面特定ステップと、
特定した前記画面識別情報を前記機器に対して送信する画面識別情報送信ステップと、
前記ユーザがログアウトする場合に、前記ユーザ識別情報と、前記ログアウトする時の日時を示す日時情報と、前記ユーザが使用した前記機器識別情報と、前記ログアウトする直前に画面に表示した前記画面識別情報とを対応付けた情報を示すユーザ画面対応情報を受信して、前記ユーザ画面情報保持ステップが保持する前記ユーザ画面情報を更新する更新ステップと、を有する、
ことを特徴とする画面表示方法。
【請求項１４】
前記画面識別情報ごとに、それぞれの前記機器が前記表示画面を表示できるか、又は前記表示画面を表示できない場合に代わりに表示させる前記画面識別情報を対応付けた情報を示す画面対応情報を保持する画面対応情報保持ステップを含み、
前記表示画面特定ステップは、
前記使用情報に含まれる前記認証情報と前記機器識別情報との組が前記ユーザ画面情報と異なる場合に、前記画面対応情報を参照して、前記画面識別情報を表示対象画面として特定する、
ことを特徴とする請求項１３に記載の画面表示方法。
【請求項１５】
サーバ装置に、
機器を使用するユーザを識別するユーザ識別情報と、前記ユーザがログアウトした時の日時を示す日時情報と、前記ユーザが使用した機器を識別する機器識別情報と、前記ログアウトする直前に画面に表示した表示画面を識別する画面識別情報とが対応付けられた複数のユーザ画面情報を保持するユーザ画面情報保持ステップと、
予め登録された、前記機器を使用するユーザを識別するユーザ識別情報とパスワードを含み、前記ユーザの認証に用いられる認証情報を示す登録認証情報を保持する登録認証情報保持ステップと、
前記認証情報と、前記ユーザが使用する前記機器を識別する機器識別情報とを含む使用情報を受け付ける受付ステップと、
前記登録認証情報と、受け付けた前記使用情報に含まれる前記認証情報が一致する場合に、前記ユーザを認証する認証ステップと、
前記ユーザを認証した後に、前記ユーザ画面情報の中から、前記使用情報に含まれる前記ユーザ識別情報に対応する前記画面識別情報を表示対象画面として特定する表示画面特定ステップと、
特定した前記画面識別情報を前記機器に対して送信する画面識別情報送信ステップと、
前記ユーザがログアウトする場合に、前記ユーザ識別情報と、前記ログアウトする時の日時を示す日時情報と、前記ユーザが使用した前記機器識別情報と、前記ログアウトする直前に画面に表示した前記画面識別情報とを対応付けた情報を示すユーザ画面対応情報を受信して、前記ユーザ画面情報保持ステップが保持する前記ユーザ画面情報を更新する更新ステップと、
を実行させるためのプログラム。
【請求項１６】
前記画面識別情報ごとに、それぞれの前記機器が前記表示画面を表示できるか、又は前記表示画面を表示できない場合に代わりに表示させる前記画面識別情報を対応付けた情報を示す画面対応情報を保持する画面対応情報保持ステップを含み、
前記表示画面特定ステップは、
前記使用情報に含まれる前記認証情報と前記機器識別情報との組が前記ユーザ画面情報と異なる場合に、前記画面対応情報を参照して、前記画面識別情報を表示対象画面として特定する、
ことを特徴とする請求項１５に記載のプログラム。
【発明の詳細な説明】
【技術分野】
【０００１】
本発明は、認証システム、サーバ装置、画面表示方法およびプログラムに関する。
【背景技術】
【０００２】
従来から画像形成装置などの複合機（ＭＦＰ：Ｍｕｌｔｉｆｕｎｃｔｉｏｎ  Ｐｅｒｉｐｈｅｒａｌ）自身が持つ認証機能を使用して認証に成功した場合に、ユーザ毎のお好みの初期画面を表示することが可能な技術がある。
【０００３】
特許文献１には、複合機自身が持つ認証機能を使用して認証に成功した場合に、ユーザ毎にカスタマイズされた初期画面を最初に表示する画像形成装置が開示されている。特許文献１に記載の画像形成装置は、ユーザの初期画面のカスタマイズ情報を読み出すにあたり、複数の機能のうち、最初に選択された第１順位の機能の初期画面を読み出して、タッチパネル部にその初期画面を表示させるものである。
【０００４】
また、外部のアプリケーションサーバのアプリケーション（外部アプリケーション）を操作できるような画面にログイン後、直ぐに移行することが可能な技術がある。
【０００５】
特許文献２には、認証サーバと連携したユーザ認証処理及び外部のアプリケーションサーバに格納されたアプリケーションと連携した処理（外部アプリケーションの機能を実現するための処理）を行うことが可能な複合機が開示されている。特許文献２に記載の複合機は、ユーザが複合機単体機能の画面と外部アプリケーションの機能の画面とをログイン毎に切り替える必要なく、容易にログイン後直ぐ前回使用した機能の画面にアクセスすることが可能な複合機である。
【０００６】
また、画像形成装置の機種が異なる場合や、オプションが異なる場合であっても、一括して画面のカスタマイズ内容を反映させる技術がある。
【０００７】
特許文献３には、画像形成装置の機種が異なる場合や、オプションが異なる場合であっても、一括してカスタマイズ内容を反映させる画像形成装置が開示されている。特許文献３に記載の画像形成装置は、自身の装置のカスタマイズ画面設定を他の装置に反映させる場合に、他の装置から自身のカスタマイズ画面設定と異なる設定を表すカスタマイズ差異情報を取得し、自身のカスタマイズ画面設定を反映することが可能な機能を判定して、カスタマイズ画面設定を自身と同じ設定にするものである。
【０００８】
また、機種が異なる画像形成装置の間で、画面のカスタマイズ内容を容易に共用させることができるコンポーネントサーバ及び画像形成装置が知られている。
【０００９】
特許文献４には、異なる機種との間でもカスタマイズ内容を容易に共用させることができるコンポーネントサーバ及び画像形成装置が開示されている。特許文献４に記載のコンポーネントサーバ及び画像形成装置のコンポーネントサーバは、機種毎のカスタマイズ内容を含むコンポーネントを管理し、複数の画像形成装置にコンポーネントを配信する。複数の画像形成装置は、各々の画像形成装置がコンポーネントサーバからコンポーネントを取得して、自身の画像形成装置の画面をカスタマイズするものである。
【発明の概要】
【発明が解決しようとする課題】
【００１０】
しかしながら、特許文献１及び２に記載の複合機では、ユーザが同じ機種を使用する場合は、ユーザのお好み画面を表示させることはできるが、異なる機種の場合は画面デザイン（機能）が異なるため、前回ログアウトした際のお好み画面設定を引き継ぐことができないので、再度設定したい画面に設定するまでの操作に手間がかかるという問題がある。
【００１１】
また、特許文献３に記載の画像形成装置では、それぞれの画像形成装置にて、機種毎のカスタマイズ画面設定の差異を判断して保持する必要があり、どの画像形成装置とカスタマイズ画面設定を比較するかなどの処理は画像形成装置側で行うため、ＣＰＵ（Ｃｅｎｔｒａｌ  Ｐｒｏｃｅｓｓｉｎｇ  Ｕｎｉｔ）に負荷をかけてしまうという問題がある。
【００１２】
また、特許文献４に記載のコンポーネントサーバ及び画像形成装置では、データサイズの大きいコンポーネントを画像形成装置に配信してしまうため通信トラフィックが発生する虞があるという問題がある。また、画像形成装置でコンポーネントを適用する処理を行わなければならないのでＣＰＵに負荷をかけてしまうという問題がある。
【００１３】
そのため、ユーザが異なる機種の機器を使用する場合でも、機器に負荷をかけることなく、ユーザがログインした際に前回ログアウト直前に使用した画面を表示させることができることが望まれる。
【００１４】
本発明は、上記に鑑みてなされたものであって、ユーザが異なる機種の機器を使用する場合でも機器に負荷をかけることなく、ユーザがログインして認証に成功した後に前回ログアウト直前に使用した画面を表示させることができる認証システム、サーバ装置、画面表示方法およびプログラムを提供することを目的とする。
【課題を解決するための手段】
【００１５】
上述した課題を解決し、目的を達成するために、本発明に係る認証システムは、１以上の機器と、通信網を介して前記１以上の機器と接続されるサーバ装置とを含む認証システムであって、１以上の前記機器の各々は、前記機器を使用するユーザを識別するユーザ識別情報とパスワードを含み、前記ユーザの認証に用いられる認証情報を受け付ける受付部と、前記認証情報と、前記ユーザが使用する前記機器を識別する機器識別情報とを含む使用情報を前記サーバ装置に対して送信する使用情報送信部と、を有し、前記サーバ装置は、前記ユーザ識別情報と、前記ユーザがログアウトした時の日時を示す日時情報と、前記ユーザが使用した前記機器の機器識別情報と、前記ログアウトする直前に画面に表示した表示画面を識別する画面識別情報とが対応付けられた複数のユーザ画面情報を保持するユーザ画面情報保持部と、予め登録された前記認証情報を示す登録認証情報を保持する登録認証情報保持部と、前記使用情報を受け付ける受付部と、前記登録認証情報と、受け付けた前記使用情報に含まれる前記認証情報が一致する場合に、前記ユーザを認証する認証部と、前記ユーザを認証した後に、前記使用情報に含まれる前記ユーザ識別情報を含む前記ユーザ画面情報に基づいて、前記画面識別情報を表示対象画面として特定する表示画面特定部と、を有する、ことを特徴とする。
【発明の効果】
【００１６】
本発明によれば、ユーザが異なる機種の機器を使用する場合でも、機器に負荷をかけることなく、ユーザがログインして認証に成功した後に前回ログアウト直前に使用した画面を表示させることができる、という有利な効果を奏する。
【図面の簡単な説明】
【００１７】
【図１】図１は、本実施形態の認証システムの全体システム構成の一例を示す図である。
【図２】図２は、本実施形態に係るサーバ装置のハードウェア構成の一例を示す図である。
【図３】図３は、本実施形態に係る機器のハードウェア構成の一例を示す図である。
【図４】図４は、本実施形態に係るサーバ装置及び機器の機能構成の一例を示すブロック図である。
【図５】図５は、ユーザ画面情報の一例を示す図である。
【図６】図６は、ユーザ画面情報の一例を示す図である。
【図７】図７は、認証情報の一例を示す図である。
【図８】図８は、画面対応情報の一例を示す図である。
【図９】図９は、表示画面情報の一例を示す図である。
【図１０】図１０は、サーバ装置と機器の処理動作の一例を示すシーケンス図である。
【図１１】図１１は、サーバ装置の処理動作の一例を示すフローチャート図である。
【図１２】図１２は、機器の処理動作の一例を示すフローチャート図である。
【発明を実施するための形態】
【００１８】
以下、添付図面を参照しながら、本発明に係る認証システム、サーバ装置、画面表示方法およびプログラムの一実施形態を詳細に説明する。なお、以下の実施の形態により本発明が限定されるものではない。また、各実施形態は、内容を矛盾させない範囲で、適宜組み合わせることができる。
【００１９】
本実施形態の認証システムは、機器を使用するユーザを識別するユーザ識別情報と、ユーザがログアウトした時の日時を示す日時情報と、ユーザが使用した機器の機器識別情報と、ログアウトする直前に画面に表示した表示画面を識別する画面識別情報とが対応付けられた複数のユーザ画面情報を保持する。また、認証システムは、画面識別情報ごとに、それぞれの機器が表示画面を表示できるか、又は表示画面を表示できない場合に代わりに表示させる画面識別情報を対応付けた情報を示す画面対応情報を保持する。そして、認証システムは、受け付けた機器を使用するユーザを識別するユーザ識別情報とパスワードの組でユーザを認証した後に、ユーザ識別情報と機器識別情報との組がユーザ画面情報と異なる場合に、画面対応情報を参照して、画面識別情報を表示対象画面として特定する。そして、特定した画面識別情報を用いて前回ログアウト直前に使用した画面を表示させる。これにより、機器を使用するユーザが異なる機種の画像形成装置を使用する場合でも画像形成装置に負荷をかけることなく、ユーザがログインして認証に成功した後に前回ログアウト直前に使用した画面を表示させることができる。
【００２０】
以下では、本実施形態のサーバ装置を、機器（画像処理装置）と通信して遠隔管理する認証システムの一部の装置として実現する例を説明する。本実施形態のサーバ装置が適用可能なシステムは、このような認証システムに限られるものではない。また、以下では、本発明に係る機器を、画像形成装置などの複合機（ＭＦＰ：Ｍｕｌｔｉｆｕｎｃｔｉｏｎ  Ｐｅｒｉｐｈｅｒａｌ）に適用した場合を例に挙げて説明するが、これに限定されるものではない。なお、複合機とは、印刷機能、複写機能、スキャナ機能、及びファクシミリ機能のうち少なくとも２つの機能を有する装置である。また、機器は、ＭＦＰに限ることはなく、ＬＰ（Ｌａｓｅｒ  Ｐｒｉｎｔｅｒ）、インクジェットプリンタ、ＦＡＸ装置、デジタル複写機、スキャナ装置、プロジェクタ、カメラ、カーナビ、ネットワーク家電などでもよい。
【００２１】
なお、以下では、機器を使用するユーザを識別するユーザ識別情報を「ユーザＩＤ」とも表記し、機器を識別する機器識別情報を「機器ＩＤ」とも表記し、機器の機種を識別する機種識別情報を「機種ＩＤ」とも表記し、表示画面を識別する画面識別情報を「画面ＩＤ」とも表記する。なお、本実施形態において、機器ＩＤは機種ＩＤを含むものである。また、本実施形態において、「ユーザ」は機器を使用する人を示し、「オペレータ」はサーバ装置を操作する人を示す。
【００２２】
まず、図１を用いて、認証システム１の全体システム構成例について説明する。図１は、本実施形態の認証システムの全体システム構成の一例を示す図である。
【００２３】
図１に示すように、認証システム１は、複数の機器２０ａ〜２０ｃを遠隔管理するサーバ装置１０と、サーバ装置１０により管理される機器２０ａ、機器２０ｂ、機器２０ｃとを備える。以下、複数の機器２０ａ〜２０ｃを区別する必要がない場合は、機器２０と表記する。サーバ装置１０は、例えば、機器２０から通知された機器２０を使用するユーザの認証に用いられるユーザを識別するユーザ識別情報とパスワードの組を含む認証情報を受け付けて、ユーザを認証する装置である。機器２０は、ネットワーク機器、例えば、ＭＦＰである。本実施形態では機器２０としてＭＦＰを一例として説明する。
【００２４】
複数の機器２０ａ〜２０ｃは、機器２０ごとに通信網３０介してサーバ装置１０と接続されている。通信網３０は、例えば、セキュリティが高い専用回線やＶＰＮ（Ｖｉｒｔｕａｌ  Ｐｒｉｖａｔｅ  Ｎｅｔｗｏｒｋ）、インターネット等のネットワークである。図１では、サーバ装置１０と接続される機器２０の台数が３台である場合を例示しているが、これに限らず、機器２０の台数は任意である。
【００２５】
なお、図１の例では、機器２０は、直接に通信網３０に接続する構成であるが、これに限ることはなく、例えば、機器２０は、無線により各基地局に接続し携帯電話回線網を経由して通信網３０に接続する構成であってもよい。
【００２６】
認証システム１では、サーバ装置が通信網３０を経由して遠隔管理するサービスを、「ＮＲＳ（ニューリモートサービス）」という。認証システム１では、ＮＲＳを実現するために、ＮＲＳに対応するソフトウェアを実装した機器２０が接続されている。
【００２７】
また、認証システム１では、遠隔管理を行うために各機器２０にＲＰＣ（Ｒｅｍｏｔｅ  Ｐｒｏｃｅｄｕｒｅ  Ｃａｌｌ）により、相互実装するアプリケーションのメソッドに対する処理の依頼である「要求」を送信し、この依頼された処理の結果である「応答」を送受信する機能を有している。すなわち、サーバ装置１０では、機器２０への要求を生成して、生成した要求を機器２０へ引き渡し、この「要求」に対する「応答」を取得できる。一方で、機器２０は、上記サーバ装置１０側への要求を生成して、生成した要求をサーバ装置１０側へ引き渡し、この「要求」に対する「応答」を取得できるようになっている。
【００２８】
また、ＲＰＣを実現するために、ＰＰＰ（Ｐｏｉｎｔ−ｔｏ−Ｐｏｉｎｔ  Ｐｒｏｔｏｃｏｌ）、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、  ＣＯＭ（Ｃｏｍｐｏｎｅｎｔ  Ｏｂｊｅｃｔ  Ｍｏｄｅｌ）、ＣＯＲＢＡ（Ｃｏｍｍｏｎ  Ｏｂｊｅｃｔ  Ｒｅｑｕｅｓｔ  Ｂｒｏｋｅｒ  Ａｒｃｈｉｔｅｃｔｕｒｅ）等の既知のプロトコル（通信規格）、技術、仕様などを利用することができる。
【００２９】
次に、図２を用いて、サーバ装置１０のハードウェア構成について説明する。図２は、サーバ装置のハードウェア構成の一例を示す図である。
【００３０】
図２に示すように、サーバ装置１０は、システムバス１７に接続された、制御装置１１と、操作端末１２と、記憶装置１３と、プロキシサーバ１４とを備える。
【００３１】
制御装置１１は、図示しないＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等から構成されるマイクロコンピュータを備え、サーバ装置１０の動作を統括的に制御する。また、ＣＰＵは、記憶装置１３に格納されたプログラムを実行することで、サーバ装置１０全体の動作を制御する。また、ＣＰＵは、各種機能を実現する。制御装置１１は、機器２０から機器２０の状態を示す状態情報と機器２０を識別する機器識別情報とを少なくとも含む機器情報（管理情報パラメータ）を受信する機能を有し、該機器情報に基づいて機器２０の管理を制御する。
【００３２】
操作端末１２は、キーボード、マウス、ディスプレイ等で構成され、サーバ装置１０のオペレータの様々な操作指示を受け付けるユーザインタフェースである。また、操作端末１２は、各種データを入力する入力インタフェースである。操作端末１２は、例えば、タッチパネルや音声入力装置を操作端末１２とすることもできる。
【００３３】
記憶装置１３は、サーバ装置１０で実行される各種のプログラムを格納する。また、記憶装置１３は、サーバ装置１０の各種機能を実現するために必要なファイルやデータ等を格納する。また、記憶装置１３は、管理対象である機器２０の管理に用いる各種管理情報パラメータ（機器情報）、管理プログラムを記憶する。
【００３４】
記憶装置１３は、画面対応情報記憶エリア１５と、認証情報記憶エリア１６とを有する。画面対応情報記憶エリア１５は、画面に表示する表示画面を識別する画面識別情報ごとに、それぞれの機器２０が表示画面を表示できるか、又は表示画面を表示できない場合に代わりに表示させる表示画面を識別する画面識別情報を対応付けた情報を示す画面対応情報を記憶する。認証情報記憶エリア１６は、機器２０を使用するユーザごとに、ユーザの認証に用いられる機器２０を使用するユーザのユーザ識別情報とパスワードの組を含む認証情報を記憶する。なお、画面対応情報、及び認証情報の詳細については後述する。
【００３５】
記憶装置１３は、例えば、顧客情報、機器２０の設置状態、機器２０の設置許可エリアなどの機器２０を管理するための各種管理情報を保持する。なお、各種管理情報は、予め顧客との契約情報に基づいて登録される。
【００３６】
プロキシサーバ１４は、通信網に接続されており、例えば、通信網３０を介して機器２０との間で通信を行って、セキュリティ管理を行う。
【００３７】
また、サーバ装置１０は、図示しない表示装置を有する。表示装置は、プログラムによるＧＵＩ（Ｇｒａｐｈｉｃａｌ  Ｕｓｅｒ  Ｉｎｔｅｒｆａｃｅ）等を表示する。表示装置は、例えば、画像などを表示するディスプレイである。ディスプレイは、例えば、液晶や有機ＥＬなどのＦＰＤ（Ｆｌａｔ  Ｐａｎｅｌ  Ｄｉｓｐｌａｙ）である。
【００３８】
なお、上記のサーバ装置１０用プログラムは、インストール可能な形式又は実行可能な形式のファイルで、記録メディア等のコンピュータで読み取り可能な記録媒体に記録して流通させるようにしてもよい。
【００３９】
次に、図３を用いて、機器２０のハードウェア構成について説明する。図３は、本実施形態に係る機器のハードウェア構成の一例を示す図である。
【００４０】
図３に示すように、機器２０は、コントローラボード２３０と、操作パネル２３１と、ＦＣＵ（ファクシミリコントロールユニット）２３２と、ＵＳＢ（Ｕｎｉｖｅｒｓａｌ  Ｓｅｒｉａｌ  Ｂｕｓ）２３３と、ＩＥＥＥ１３９４Ｉ／Ｆ２３４と、プロッタ／スキャナエンジン２３５と、周辺機２３６とを備える。
【００４１】
コントローラボード２３０は、ＣＰＵ（Ｃｅｎｔｒａｌ  Ｐｒｏｃｅｓｓｉｎｇ  Ｕｎｉｔ）２１１と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２１２と、フラッシュメモリ２１３と、ＨＤＤ（Ｈａｒｄ  Ｄｉｓｋ  Ｄｒｉｖｅ）２１４と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２１５と、ＮＩＣ（Ｎｅｔｗｏｒｋ  Ｉｎｔｅｒｆａｃｅ  Ｃａｒｄ）２１６とを備える。
【００４２】
ＣＰＵ２１１は、機器２０の動作を統括的に制御する。ＣＰＵ２１１は、ＳＤＲＡＭ２１２、フラッシュメモリ２１３及びＨＤＤ２１４に格納されたプログラムを実行することで、機器２０全体の動作を制御する。また、ＣＰＵ２１１は、各種機能を実現する。また、ＣＰＵ２１１は、ＳＤＲＡＭ２１２、フラッシュメモリ２１３及びＨＤＤ２１４のプログラムに基づいてデータ演算を行い、機器２０の各部を制御して、機器２０としての処理を実行する。
【００４３】
ＳＤＲＡＭ２１２は、各種プログラムを記憶するメモリである。また、ＳＤＲＡＭ２１２は、ＣＰＵ２１１がデータ処理時に使用するメモリである。
【００４４】
フラッシュメモリ２１３は、各種プログラムやＯＳ（Ｏｐｅｒａｔｉｎｇ  Ｓｙｓｔｅｍ）イメージを記憶するメモリである。また、フラッシュメモリ２１３は、各種不揮発性を必要とするデータ（機種機番、ＩＰアドレスなど）を記憶するメモリである。フラッシュメモリ２１３は、認証システム１における各機能を実現するための記憶メモリでもある。
【００４５】
ＨＤＤ２１４は、不揮発性記憶媒体であり、対象の機器２０の各種管理情報、更新用ファームウェア、実行用ファームウェアを記憶する。また、ＨＤＤ２１４は、機器２０がＭＦＰ等であるときには、画像データ等を記憶する。
【００４６】
ＡＳＩＣ２１５は、ＣＰＵ２１１の制御対象となるデバイスの共有化をはかり、アーキテクチャの面からアプリケーションなどの開発の高効率化を支援するものである。また、ＡＳＩＣ２１５は、機器２０がＭＦＰ等であるときには、各種画像処理を行う。
【００４７】
ＮＩＣ２１６は、ローカルネットワーク、また更にネットワークを介して、サーバ装置１０のプロキシサーバと接続するインタフェースである。
【００４８】
操作パネル２３１は、機器２０であるＭＦＰに対して操作を行うオペレータのためのインタフェースであり、データ入力、ジョブ実行などを受け付ける。また、操作パネル２３１は、各種操作キー及びファンクションキー等を備えるとともに、ディスプレイ（例えば、液晶ディスプレイ）を備える。操作キーからは、機器２０に各種動作を行わせるのに必要な各種命令等が入力される。ディスプレイには、操作キーから入力された命令内容や機器２０からオペレータに通知する各種情報が表示される。
【００４９】
ＦＣＵ２３２は、ＦＡＸ装置またはモデム機能を有する複写装置などの外部装置との通信を公衆回線で制御する。また、ＦＣＵ２３２は、外部のＦＡＸ装置との間でファクシミリ制御信号を交換し、Ｇ３及びＧ４のファクシミリ通信手順を実行する。
【００５０】
ＵＳＢ（Ｕｎｉｖｅｒｓａｌ  Ｓｅｒｉａｌ  Ｂｕｓ）２３３は、周辺装置と接続するためのシリアルバスである。ＵＳＢ２３３には、ＵＳＢデバイスが接続され、ＣＰＵ２１１の制御下で、接続されるＵＳＢデバイスとの間でデータの授受を行う。
【００５１】
ＩＥＥＥ１３９４Ｉ／Ｆ２３４は、外部のスキャナやプロッタ等との接続に使用される。
【００５２】
プロッタ／スキャナエンジン２３５は、ＡＳＩＣ２１５から受け取った画像データに基づいて用紙に画像を印刷出力し、また、原稿を主走査・副走査して該原稿の画像データを読み取ってＡＳＩＣ２１５に出力する。プロッタ／スキャナエンジン２３５には、後処理機やＡＤＦ（自動原稿送り装置）等の周辺機２３６が接続される。
【００５３】
次に、図４を用いて、本実施形態のサーバ装置１０及び機器２０の機能について説明する。図４は、サーバ装置及び機器の機能構成の一例を示すブロック図である。
【００５４】
まず、サーバ装置１０の機能構成について説明する。図４に示すように、サーバ装置１０は、通信部１０１と、受付部１０２と、表示部１０３と、ユーザ画面情報保持部１０４と、登録認証情報保持部１０５と、認証部１０６と、表示画面特定部１０７と、画面識別情報送信部１０８と、画面対応情報保持部１０９と、更新部１１０と、制御部１１１とを有する。上記各部については、これらの一部又は全部がソフトウェア（プログラム）、ハードウェア回路であってもよい。また、上記各部のうちの一部がサーバ装置１０に搭載される形態であってもよい。
【００５５】
通信部１０１は、通信網３０を経由して１以上の機器２０と通信する。通信部１０１は、１以上の機器２０と通信網３０を経由して各種データを送受する。具体的には、通信部１０１は、機器２０を使用するユーザを識別するユーザ識別情報とパスワードを含み、機器２０を使用するユーザの認証に用いられる認証情報と、ユーザが使用する機器２０の機器識別情報とを含む使用情報を受信して受付部１０２に受け渡す。
【００５６】
なお、通信方法として、有線・無線ネットワーク通信、ダイヤルアップ通信、モバイル通信などが一例として挙げられる。また、通信部１０１は、上述した接続方式、例えばＳＯＡＰ、ＨＴＴＰＳなどで通信する。
【００５７】
受付部１０２は、サーバ装置１０のオペレータ操作の入力を受け付ける。受付部１０２は、サーバ装置１０のオペレータにより予め登録される認証情報を示す登録認証情報を入力して受け付ける。具体的には、受付部１０２は、サーバ装置１０のオペレータ操作により機器２０を使用するユーザを識別するユーザ識別情報とパスワードを含み、機器２０を使用するユーザの認証に用いられる認証情報を示す登録認証情報を入力して受け付けて、登録認証情報保持部１０５、認証部１０６に受け渡す。
【００５８】
また、受付部１０２は、機器２０から認証情報と、ユーザが使用する機器２０を識別する機器識別情報とを含む使用情報を受け付けて、登録認証情報保持部１０５、表示画面特定部１０７に受け渡す。
【００５９】
また、受付部１０１は、顧客の機器２０を識別する機器ＩＤごとに、該顧客の機器２０を管理するための設定情報を含んだ管理サービス情報を少なくとも含む情報を対応付けた顧客情報を受け付けて登録認証情報保持部１０５に受け渡す。
【００６０】
表示部１０３は、例えば、画像などを表示するディスプレイである。ディスプレイは、例えば、液晶や有機ＥＬなどのＦＰＤ（Ｆｌａｔ  Ｐａｎｅｌ  Ｄｉｓｐｌａｙ）である。表示部１０３は、受付部１０２で各種の情報を受け付けるためのＵＩ（Ｕｓｅｒ  Ｉｎｔｅｒｆａｃｅ）画面を表示する。表示部１０３は、各種のデータを表示する。
【００６１】
ユーザ画面情報保持部１０４は、機器２０を使用したユーザのユーザ識別情報と、ユーザがログアウトした時の日時を示す日時情報と、ユーザが使用した機器２０の機器識別情報と、ログアウトする直前に画面に表示した表示画面を識別する画面識別情報とが対応付けられた複数のユーザ画面情報を保持する。以下、「ログアウトする直前に画面に表示した表示画面」を「最終表示画面」又は「最終画面」とも表記する。
【００６２】
ここで、図５及び図６を用いて、ユーザ画面情報について説明する。図５及び図６は、ユーザ画面情報の一例を示す図である。図５及び図６に示すように、ユーザ画面情報は、機器２０を使用するユーザのユーザＩＤと、最終ログアウトした日時と、ユーザが使用した機器２０の機種を識別する機種ＩＤと、表示画面を識別する画面ＩＤとを対応付けた情報である。なお、機器ＩＤは機種ＩＤを含むものである。
【００６３】
図５の例では、機器２０を使用するユーザが初回ログイン時では、ユーザ画面情報として、ユーザＩＤ：００１、最終ログアウト：日時なし、機種ＩＤ：なし、画面ＩＤ：なし、であることを示している。つまり、初めてログインした時は、ユーザ画面情報のデータが存在しない。
【００６４】
図６の例では、初回ログアウト後では、ユーザ画面情報として、ユーザＩＤ：００１、最終ログアウト日時：２０１４／０１／２４／○時○分○秒、機種ＩＤ：３Ａ５６−１２３４５６、画面ＩＤ：１．２．１、であることを示している。この、ユーザ画面情報は、機器２０を使用するユーザがログアウトする度に後述する更新部１１０によって情報が更新される。
【００６５】
図４に戻って説明を続ける。登録認証情報保持部１０５は、受付部１０２で受け付けて予め登録された認証情報を示す登録認証情報を保持する。登録認証情報は、機器２０を使用するユーザを識別するユーザ識別情報とパスワードを含み、機器２０を使用するユーザの認証に用いられる認証情報である。つまり、機器２０を使用するユーザのユーザＩＤ（アカウント名）とパスワードの組の情報を保持する。
【００６６】
また、登録認証情報保持部１０５は予め登録された顧客に関連する情報を含む顧客情報（認証情報）を保持する。具体的には、登録認証情報保持部１０５は、例えば、機器２０を使用するユーザを識別するユーザＩＤごとに、顧客に関連する情報を対応付けた顧客情報（例えば、契約情報、課金情報など）を保持する。すなわち、登録認証情報保持部１０５は、機器２０を使用するユーザのユーザＩＤごとに、該顧客の機器２０を管理するための設定情報を含んだ管理サービス情報を少なくとも含む情報を対応付けた顧客情報を保持する。
【００６７】
顧客に関連する情報としては、例えば、顧客番号、顧客名、住所、電話番号、連絡先、契約内容、管理サービス情報、管理レベル設定情報、顧客が使用する機器２０を設置するための設置情報などを含む情報である。顧客情報としては、設置依頼書番号、顧客番号、顧客名、住所、電話番号、機器ＩＤ、管理サービス情報、管理レベル設定情報などである。なお、顧客情報はこれに限らず任意に設定できる。
【００６８】
ここで、図７を用いて、認証情報について説明する。図７は、認証情報の一例を示す図である。図７に示すように、認証情報は、機器２０を使用するユーザのユーザＩＤごとに、ログイン名とパスワードと顧客情報とを対応付けた情報である。図７の例では、認証情報としては、ユーザの認証に必要なログイン名、パスワード、顧客情報として契約情報、課金情報が対応付いた情報である。登録認証情報保持部１０５は、図７の例で示す認証情報を機器２０を使用するユーザのユーザＩＤごとに保持している。なお、図７に示した顧客情報はこれに限らず任意に設定できる。
【００６９】
図４に戻って説明を続ける。認証部１０６は、機器２０を使用するユーザの認証に関する制御を行う。ここで、認証とは、機器２０を使用するユーザに例えば、機器２０を使用する使用権限を認めることを示す。認証部１０６は、登録認証情報と、受け付けた使用情報に含まれる機器２０を使用するユーザの認証情報が一致する場合に、機器２０を使用するユーザを認証する。具体的には、認証部１０６は、機器２０から送信されて受付部１０２で受け付けた認証情報と、ユーザが使用する機器２０の機器識別情報とを含む使用情報に含まれる認証情報が登録認証情報と一致する情報がある場合に、機器２０を使用するユーザを認証する制御を行う。すなわち、認証部１０６は、登録認証情報と、認証情報に含まれる機器２０を使用するユーザのユーザＩＤ（アカウント名）とパスワードの組が一致する場合に、機器２０を使用するユーザを認証する制御を行う。
【００７０】
認証情報は、機器２０を使用するユーザを識別するユーザ識別情報（ログイン名）とパスワードの組を示す情報を含むが、これに限られるものではない。具体的には、認証部１０６は、受け付けたログイン名とパスワードの組（利用者識別情報）が、登録認証情報保持部１０５が保持（登録）しているログイン名とパスワードの組と、一致している情報があるか否かを判断する。そして、ログイン名とパスワードの組が一致している情報がある場合に、認証すると判断する。ログイン名とパスワードの組が一致している情報がない場合には、認証しないと判断する。なお、本実施形態において、ユーザＩＤはログイン名を含むものである。
【００７１】
表示画面特定部１０７は、機器２０を使用するユーザを認証した後に、使用情報に含まれる機器２０を使用するユーザのユーザ識別情報を含むユーザ画面情報に基づいて、画面識別情報を表示対象画面として特定する。具体的には、表示画面特定部１０７は、使用情報に含まれる機器２０を使用するユーザのユーザＩＤと一致する、ユーザ画面情報のユーザＩＤを特定し、その特定したユーザＩＤに対応づいた画面識別情報を表示対象画面として特定する。
【００７２】
また、表示画面特定部１０７は、機器２０を使用するユーザを認証した後に、ユーザ画面情報の中から、使用情報に含まれる機器２０を使用するユーザのユーザ識別情報に対応する表示画面の画面識別情報を表示対象画面として特定する。具体的には、表示画面特定部１０７は、ユーザ画面情報保持部１０４が保持するユーザ画面情報の中から、使用情報に含まれる機器２０を使用するユーザのユーザＩＤと一致するユーザＩＤを特定し、その特定したユーザＩＤに対応づいた画面識別情報を表示対象画面として特定する。
【００７３】
また、表示画面特定部１０７は、使用情報に含まれる認証情報と機器２０の機器識別情報との組がユーザ画面情報と異なる場合に、後述する画面対応情報を参照して、表示画面の画面識別情報を表示対象画面として特定する。具体的には、表示画面特定部１０７は、使用情報に含まれる機器２０を使用するユーザのユーザＩＤと機器ＩＤを用いて、ユーザ画面情報の中で一致するユーザＩＤを特定する。そして、特定したユーザＩＤに対応付けられた機器ＩＤが使用情報に含まれる機器ＩＤと異なる場合、画面対応情報を参照して、使用情報に含まれる機器ＩＤと一致する機種が表示可能な画面ＩＤを参照し、その機種が画面ＩＤを表示できない場合に代わりに表示させる画面ＩＤを表示対象画面として特定する。
【００７４】
また、表示画面特定部１０７は、使用情報に含まれる機器２０を使用するユーザのユーザ識別情報とユーザ画面情報のユーザのユーザ識別情報とが同一であって、使用情報に含まれる機器２０の機器識別情報とユーザ画面情報の機器２０の機器識別情報とが異なる場合に、後述する画面対応情報を参照して、表示画面の画面識別情報を表示対象画面として特定する。具体的には、表示画面特定部１０７は、機器２０を使用するユーザのユーザＩＤが同一であって、機器ＩＤが異なる場合、画面対応情報を参照して、使用情報に含まれる機器ＩＤと一致する機種が表示可能な画面ＩＤを参照し、その機種が画面ＩＤを表示できない場合に代わりに表示させる画面ＩＤを表示対象画面として特定する。
【００７５】
また、表示画面特定部１０７は、機器２０を使用するユーザを認証した後に、使用情報に含まれる機器２０を使用するユーザのユーザ識別情報を用いて、ユーザ画面情報が保持するユーザ識別情報に対応する画面識別情報と、使用情報に含まれる画面識別情報を比較し、画面識別情報が同じ場合には使用情報に含まれる画面識別情報を表示対象画面として特定し、画面識別情報が異なる場合にユーザ画面情報が保持するユーザ識別情報に対応する画面識別情報を表示対象画面として特定する。
【００７６】
画面識別情報送信部１０８は、表示画面特定部１０７で特定した表示画面の画面識別情報を機器２０に対して送信する。つまり、画面識別情報送信部１０８は、機器２０を使用するユーザがログインしてユーザを認証した後に、機器２０が最初に画面に表示する表示画面の画面ＩＤを機器２０に対して送信する。
【００７７】
画面対応情報保持部１０９は、表示画面の画面識別情報ごとに、それぞれの機器２０が表示画面を表示できるか、又は表示画面を表示できない場合に代わりに表示させる表示画面を識別する画面識別情報を対応付けた情報を示す画面対応情報を保持する。すなわち、画面対応情報は、機器ＩＤに対応する機種が画面ＩＤに対応する表示画面の表示に対応しているか、対応していない場合は代わりに表示させる画面ＩＤを特定した情報である。
【００７８】
ここで、図８を用いて、具体的に、画面対応情報について説明する。図８は、画面対応情報の一例を示す図である。図８に示すように、画面対応情報は、画面に表示する表示画面を識別する画面識別情報（以下、画面ＩＤという。）ごとに、画面名称と、それぞれの機種（例えば、機種Ａ、機種Ｂ、機種Ｃなど）は画面ＩＤの画面を表示できるか（対応しているか）、又は画面ＩＤの画面を表示できない場合は代わりに表示する画面ＩＤを予め設定した情報である。
【００７９】
この画面対応情報は、画面情報マスタと呼ばれるもので、例えば、新しい機種が発売される前にその機種が画面ＩＤに対応する画面の画像データを表示できるか、表示できない場合は代わり表示させる画面ＩＤに対応する画面の画像データを特定して予め設定される。画面対応情報保持部１０９は、全ての機種に対して、画面ＩＤを表示できるか、又は表示画面を表示できない場合に代わりに表示させる画面ＩＤを対応付けた情報を画面情報マスタとして保持している。
【００８０】
ただし、画面対応情報保持部１０９が保持している画面対応情報は、表示画面を特定する画面ＩＤだけで、画面ＩＤを表示させる画面の画像データは保持していない。よって、サーバ装置１０と機器２０とは、画面ＩＤの情報だけを送受するだけで表示画面を特定できるため、画面に表示するデータサイズの大きい画像データを併せて送受する必要がなく、通信トラフィックを発生させることがない、という有利な効果を奏する。
【００８１】
図８の例では、画面ＩＤ１．２．１は、両面コピー画面であり、機種ＩＤ：３Ａ５６は「表示できるに対応」しており、機種ＩＤ：３Ｃ６６は表示できないので画面ＩＤ１．２．２（片面コピー画面）を代わりに表示させる画面という設定であることを示している。また、画面ＩＤ１．２．２は、片面コピー画面であり、機種ＩＤ：３Ａ５６は「表示できるに対応」しており、機種ＩＤ：３Ｃ６６は「表示できるに対応」していることを示している。また、画面ＩＤ１．３．１は、両面原稿４枚→両面１枚（両面４ｉｎ１両面）画面であり、機種ＩＤ：３Ａ５６は「表示できるに対応」しており、機種ＩＤ：３Ｃ６６は表示できないので画面ＩＤ１．４．１は、片面原稿２枚→片面１枚（片面２ｉｎ１片面）画面を代わりに表示させる画面という設定であることを示している。このように、画面対応情報保持部１０９は、画面ＩＤごとに、機種ＩＤが表示できる画面と、表示できない場合に代わりに表示させる画面を対応付けた情報である。
【００８２】
図４に戻って説明を続ける。更新部１１０は、機器２０からユーザ画面対応情報を受信して、ユーザ画面情報保持部１０４が保持するユーザ画面情報を更新する。具体的には、更新部１１０は、機器２０を使用したユーザがログアウトする場合に、機器２０を使用したユーザのユーザ識別情報と、ログアウトする時の日時を示す日時情報と、ユーザが使用した機器２０の機器識別情報と、ログアウトする直前に画面に表示した表示画面の画面識別情報とを対応付けた情報を示すユーザ画面対応情報を機器２０から受信してユーザ画面情報を更新する。
【００８３】
制御部１１１は、サーバ装置１０の全体を制御する。また、制御部１１１は、上記の各機能部の処理を統括的に制御する。
【００８４】
次に、機器２０の機能構成について説明する。なお、機器２０はネットワーク機器であるＭＦＰを一例として説明する。図４に示すように、機器２０は、通信部２０１と、受付部２０２と、表示部２０３と、使用情報送信部２０４と、ユーザ画面対応情報送信部２０５と、表示画面情報保持部２０６と、画面識別情報受信部２０７と、制御部２０８とを有する。上記各部については、これらの一部又は全部がソフトウェア（プログラム）、ハードウェア回路であってもよい。また、上記各部のうちの一部が機器２０に搭載される形態であってもよい。
【００８５】
通信部２０１は、サーバ装置１０と通信網３０を介して通信し、サーバ装置１０と各種データを送受する。具体的には、通信部２０１は、機器２０を使用するユーザの認証情報と、ユーザが使用する機器２０を識別する機器識別情報とを含む使用情報をサーバ装置１０に対して送信する。また、例えば、通信部２０１は、機器２０を使用したユーザがログアウトする場合に、機器２０を使用したユーザのユーザ識別情報と、ログアウトする時の日時を示す日時情報と、ユーザが使用した機器２０の機器識別情報と、ログアウトする直前に画面に表示した表示画面の画面識別情報とを対応付けた情報を示すユーザ画面対応情報をサーバ装置１０に対して送信する。なお、通信方法として、有線・無線ネットワーク通信、ダイヤルアップ通信、モバイル通信などが一例として挙げられる。また、通信部２０１は、上述した接続方式、例えばＳＯＡＰ、ＨＴＴＰＳなどで通信する。
【００８６】
受付部２０２は、機器２０を使用するユーザのユーザ操作の入力を受け付ける。受付部２０２は、例えば、入力手段として操作パネル、機器２０のＷｅｂ画面、リモートＵＩ等からの入力を受け付ける機能を有する。受付部２０２は、機器２０を使用するユーザを識別するユーザ識別情報とパスワードを含み、機器２０を使用するユーザの認証に用いられる認証情報を受け付ける。具体的には、受付部２０２は、機器２０を使用するユーザからユーザＩＤ（ログイン名）とパスワードの組を含む認証情報を受け付ける。受付部２０２は、受け付けた機器２０を使用するユーザのユーザＩＤ（ログイン名）とパスワードの組を含む認証情報を使用情報送信部２０４に受け渡す。
【００８７】
表示部２０３は、例えば、画像などを表示するディスプレイである。ディスプレイは、例えば、液晶や有機ＥＬなどのＦＰＤ（Ｆｌａｔ  Ｐａｎｅｌ  Ｄｉｓｐｌａｙ）である。表示部２０３は、受付部２０２で各種の情報を受け付けるためのＵＩ画面を表示する。表示部２０３は、各種のデータを表示する。また、表示部２０３は、例えば、出力手段として操作パネル、機器２０のＷｅｂ画面、リモートＵＩ等に出力する機能を有する。表示部２０３は、サーバ装置１０から送信され、画面識別情報受信部２０７で受信した画面識別情報を用いて、表示画面情報保持部２０６が保持する表示画面情報を特定して表示画面を表示する。
【００８８】
使用情報送信部２０４は、機器２０を使用するユーザの認証情報と、ユーザが使用する機器２０を識別する機器識別情報とを含む使用情報をサーバ装置に対して送信する。具体的には、使用情報送信部２０４は、機器２０を使用するユーザのユーザＩＤ（ログイン名）とパスワードの組を含む認証情報と、機器２０を使用するユーザがログインして使用する機器ＩＤを含む使用情報を通信部２０１を介してサーバ装置に対して送信する。また、使用情報送信部２０４は、機器２０を使用するユーザの認証情報と、ユーザが使用する機器２０の機器識別情報と、機器２０が最初に画面に表示する画面の画面識別情報とを含む使用情報をサーバ装置に対して送信する。
【００８９】
ユーザ画面対応情報送信部２０５は、機器２０を使用したユーザがログアウトする場合に、機器２０を使用したユーザのユーザ識別情報と、ログアウトする時の日時を示す日時情報と、ユーザが使用した機器２０の機器識別情報と、ログアウトする直前に画面に表示した表示画面の画面識別情報とが対応付けられたユーザ画面対応情報をサーバ装置に対して送信する。
【００９０】
表示画面情報保持部２０６は、画面を識別する画面識別情報ごとに、表示する画面の画像データを含む表示画面情報を保持する。具体的には、画面ＩＤに一意に対応付いた表示する画面の画像データを、画面ＩＤごとに複数保持している。
【００９１】
ここで、図９を用いて、表示画面情報について説明する。図９は、表示画面情報の一例を示す図である。図９に示すように、表示画面情報は、画面ＩＤと画面名称と表示画面の画像データとが対応付いた情報を、画面ＩＤごとに複数保持している。つまり、機器２０は、自身の機器２０が表示できる画面ＩＤと一意に対応した画像データを画面情報一覧として複数記憶している。従って、サーバ装置１０から画面ＩＤを受け取ることで、画面に表示する画像データを特定して表示画面に表示することができる。
【００９２】
図９の例では、画面ＩＤ１．２．１は、両面コピー画面であり、画面の画像データはＡＢＣＤＥ２．１であることを示している。また、画面ＩＤ１．２．２は、片面コピー画面であり、画面の画像データはＡＢＣＤＥ２．２であることを示している。また、画面ＩＤ１．３．１は、両面原稿４枚→両面１枚（両面４ｉｎ１両面）画面であり、画面の画像データはＡＢＣＤＥ３．１であることを示している。また、画面ＩＤ１．４．１は、片面原稿２枚→片面１枚（片面２ｉｎ１片面）画面であり、画面の画像データはＡＢＣＤＥ４．１であることを示している。
【００９３】
全ての機器２０は機種が異なっていても、自身の機器２０が表示できる画面ＩＤと一意に対応した画像データを含む表示画面情報を保持する。従って、全ての機器２０は、サーバ装置１０が特定したログイン後に最初の画面に表示する表示画面の画面ＩＤだけを受け取って、自身が保持する画面ＩＤに対応する画像データを用いて初期画面を表示することができる。これにより、サーバ装置１０は、画面ＩＤに対応付いた画像データを保持する必要がない。
【００９４】
また、本実施形態によれば、機器２０とサーバ装置１０は、画面ＩＤの情報だけを送受するだけで表示画面を特定できるため、画面に表示するデータサイズの大きい画像データを併せて送受する必要がなく、通信トラフィックを発生させることがない、という有利な効果を奏する。
【００９５】
図４に戻って説明を続ける。画面識別情報受信部２０７は、サーバ装置１０から、サーバ装置１０が特定した画面識別情報を受信する。具合的には、画面識別情報受信部２０７は、サーバ装置１０の表示画面特定部１０７で特定した、ログイン後に最初の画面に表示する表示画面を識別する画面識別情報を通信部２０１を介して受信する。
【００９６】
制御部２０８は、機器２０の全体を制御する。また、制御部２０８は、上記の各機能部の処理を統括的に制御する。また、制御部２０８は、画像処理に関する制御を行う。また、制御部２０８は、機器２０外部からの各種の情報を受信する処理、受信した各種の情報を機器設定に反映する処理、反映された機器設定をユーザインタフェースに表示させるための出力処理などの制御を行う。
【００９７】
次に、図１０を参照しながら、機種Ａでの初回ログイン、ログアウト時、及び機種Ｂでの次回ログイン、ログアウト時のサーバ装置１０と機器２０の処理動作について説明する。図１０は、サーバ装置と機器の処理動作の一例を示すシーケンス図である。
【００９８】
まず、機種Ａでの初回ログイン、ログアウト時について説明する。機器２０は、受付部２０２で機器２０を使用するユーザのログイン入力（ユーザＩＤ（ログイン名）とパスワードの組）の受付をする（ステップＳ１）。次に、機器２０は、自身の機種ＩＤを含む機器ＩＤを取得する（ステップＳ２）。次に、機器２０は、最初に表示する画面ＩＤ（１．０）を取得する（ステップＳ３）。次に、機器２０は、初回ログインとして、機器２０を使用するユーザのユーザＩＤ（ログイン名）とパスワードの組と、取得した機種ＡのＩＤと、取得した画面ＩＤ（１．０）を含む、ログイン認証要求をサーバ装置１０に対して送信する（ステップＳ４）。なお、ログイン認証要求には、最初に表示する画面ＩＤ（１．０）を含まないようにしてもよい。この場合、ステップＳ３は省略する。
【００９９】
サーバ装置１０は、受け付けた機器２０を使用するユーザのユーザＩＤ（ログイン名）とパスワードの組に基づいて、認証判断を行う（ステップＳ５）。次に、サーバ装置１０は、ユーザ画面情報の中から、例えば、ユーザＩＤを用いて、ユーザＩＤに対応付けられた画面ＩＤを表示対象画面として特定する（ステップＳ６）。ただし、ここでは初回ログイン時なので、ユーザ画面情報には、ログアウトする直前に画面に表示した表示画面を識別する画面ＩＤは保持されていないので、機器２０が最初に画面に表示するデフォルト画面である画面ＩＤ（１．０）で変更なしとする。次に、サーバ装置１０は、認証ＯＫと画面ＩＤ変更なしを含む、認証結果を機器２０に対して送信する（ステップＳ７）。
【０１００】
機器２０は、機器２０を使用したユーザのユーザＩＤと、機種ＡのＩＤと、ログアウトする直前に画面に表示した最終表示画面の画面ＩＤ（１．２．１）を含む、ログアウト要求をサーバ装置１０に対して送信する（ステップＳ８）。次に、サーバ装置１０は、機器２０を使用したユーザのユーザＩＤ、機種ＡのＩＤ、画面ＩＤを用いてユーザ画面情報を更新する（ステップＳ９）。次に、サーバ装置１０は、ログアウトＯＫと、ユーザ画面情報更新ＯＫを含む、ログアウト結果を機器２０に対して送信する（ステップＳ１０）。
【０１０１】
次に、機種Ｂでの次回ログイン、ログアウト時について説明する。初回ログイン時と同様に、機器２０を使用するユーザのログイン入力（ユーザＩＤ（ログイン名）とパスワードの組）の受付、自身の機種ＩＤを含む機器ＩＤの取得、最初に表示する画面ＩＤ（１．０）の取得は同様である。
【０１０２】
次に、機器２０は、次回ログインとして、機器２０を使用するユーザのユーザＩＤ（ログイン名）とパスワードの組と、機種ＢのＩＤと、取得した画面ＩＤ（１．０）を含む、ログイン認証要求をサーバ装置１０に対して送信する（ステップＳ２１）。なお、ログイン認証要求には、最初に表示する画面ＩＤ（１．０）を含まないようにしてもよい。この場合、最初に表示する画面ＩＤ（１．０）を取得することは省略する。
【０１０３】
サーバ装置１０は、受け付けた機器２０を使用するユーザのユーザＩＤ（ログイン名）とパスワードの組に基づいて、認証判断を行う（ステップＳ２２）。次に、サーバ装置１０は、ユーザ画面情報の中から、例えば、ユーザＩＤを用いて、ユーザＩＤに対応付けられた画面ＩＤを表示対象画面として特定する（ステップＳ２３）。ここでは、機種Ａでの初回ログアウト時の最終画面ＩＤ（１．２．１）が保持されているので、画面ＩＤ（１．２．１）を表示対象画面として特定する。次に、サーバ装置１０は、認証ＯＫと最終画面ＩＤ（１．２．１）を含む、認証結果を機器２０に対して送信する（ステップＳ２４）。
【０１０４】
機器２０は、機器２０を使用したユーザのユーザＩＤと、機種ＢのＩＤと、ログアウトする直前に画面に表示した最終表示画面の画面ＩＤ（１．２．３）を含む、ログアウト要求をサーバ装置１０に対して送信する（ステップＳ２５）。次に、サーバ装置１０は、機器２０を使用したユーザのユーザＩＤ、機種ＢのＩＤ、画面ＩＤを用いてユーザ画面情報を更新する（ステップＳ２６）。次に、サーバ装置１０は、ログアウトＯＫと、ユーザ画面情報更新ＯＫを含む、ログアウト結果を機器２０に対して送信する（ステップＳ２７）。
【０１０５】
以上の処理を認証システム１に実行させることにより、ユーザが異なる機種の機器（画像形成装置）２０を使用する場合でも、ユーザがログインして認証に成功した後に前回ログアウト直前に使用した画面を表示させることができる。
【０１０６】
次に、図１１を参照しながら、サーバ装置１０の処理動作について説明する。図１１は、サーバ装置の処理動作の一例を示すフローチャート図である。
【０１０７】
サーバ装置１０は、機器２０を使用するユーザのユーザＩＤ（ログイン名）とパスワードの組と、機種ＩＤを含む機器ＩＤと、画面ＩＤ（１．０）を含む、ログイン認証要求があるか否かを判断する（ステップＳ３１）。なお、ログイン認証要求には、最初に表示する画面ＩＤ（１．０）を含まないようにしてもよい。この場合、最初に表示する画面ＩＤ（１．０）を取得することは省略する。ログイン認証要求がない場合（ステップＳ３１：Ｎｏ）、ログイン認証要求判断処理を繰り返す。
【０１０８】
ログイン認証要求がある場合（ステップＳ３１：Ｙｅｓ）、サーバ装置１０は、認証ＯＫか否かを判断する（ステップＳ３２）。認証ＯＫでない場合（ステップＳ３２：Ｎｏ）、ステップＳ３１に戻り処理を継続する。認証ＯＫの場合（ステップＳ３２：Ｙｅｓ）、サーバ装置１０は、ユーザ画面情報保持部１０４が保持するユーザ画面情報の中にログイン認証要求に含まれる機器２０を使用するユーザのユーザＩＤに対応付いた画面ＩＤがあるか否かを判断する（ステップＳ３３）。
【０１０９】
画面ＩＤがない場合（ステップＳ３３：Ｎｏ）、サーバ装置１０は、認証ＯＫと画面ＩＤ変更なしを含む、認証結果を機器２０に対して送信する（ステップＳ３４）。次に、ステップＳ３９に移行する。
【０１１０】
画面ＩＤがある場合（ステップＳ３３：Ｙｅｓ）、サーバ装置１０は、機種ＩＤを含む機器ＩＤは同じか否かを判断する（ステップＳ３５）。機種ＩＤを含む機器ＩＤが同じである場合（ステップＳ３５：Ｙｅｓ）、サーバ装置１０は、認証ＯＫと、最終画面ＩＤを含む、認証結果を機器２０に対して送信する（ステップＳ３８）。
【０１１１】
機種ＩＤを含む機器ＩＤが同じでない場合（ステップＳ３５：Ｎｏ）、サーバ装置１０は、画面対応情報保持部１０９が保持する画面対応情報の中から、画面ＩＤに対応付けられた機器ＩＤを参照して画面ＩＤを特定する（ステップＳ３６）。サーバ装置１０は、認証ＯＫと、特定した画面ＩＤを含む、認証結果を機器２０に対して送信する（ステップＳ３７）。
【０１１２】
次に、サーバ装置１０は、機器２０を使用したユーザのユーザＩＤと、機種ＩＤを含む機器ＩＤと、最終画面ＩＤを含む、ログアウト要求があるか否かを判断する（ステップＳ３９）。ログアウト要求がない場合（ステップＳ３９：Ｎｏ）、判断処理を繰り返す。ログアウト要求がある場合（ステップＳ３９：Ｙｅｓ）、サーバ装置１０は、ユーザＩＤに対応するユーザ画面情報を更新する（ステップＳ４０）。次に、サーバ装置１０は、ログアウトＯＫと、ユーザ画面情報更新ＯＫを含む、ログアウト結果を機器２０に対して送信する（ステップＳ４１）。そして処理を終了する。
【０１１３】
次に、図１２を参照しながら、機器２０の処理動作について説明する。図１２は、機器の処理動作の一例を示すフローチャート図である。
【０１１４】
機器２０は、機器２０を使用するユーザのログイン入力があるか否かを判断する（ステップＳ５１）。ログイン入力がない場合（ステップＳ５１：Ｎｏ）、判断処理を繰り返す。ログイン入力があった場合（ステップＳ５１：Ｙｅｓ）、機器２０は、自身の機種ＩＤを含む機器ＩＤを取得する（ステップＳ５２）。次に、機器２０は、最初に表示する画面ＩＤ（１．０）を取得する（ステップＳ５３）。次に、機器２０は、ログイン入力で受け付けた機器２０を使用するユーザのユーザＩＤ（ログイン名）とパスワードの組と、取得した機種ＩＤを含む機器ＩＤと、取得した画面ＩＤ（１．０）を含む、ログイン認証要求をサーバ装置１０に対して送信する（ステップＳ５４）。なお、ログイン認証要求には、最初に表示する画面ＩＤ（１．０）を含まないようにしてもよい。この場合、ステップＳ５３は省略する。
【０１１５】
次に、機器２０は、サーバ装置１０から認証結果ＯＫを受信したか否かを判断する（ステップＳ５５）。認証結果ＯＫでない場合（ステップＳ５５：Ｎｏ）、ステップＳ５１に戻り処理を繰り返す。認証結果ＯＫの場合（ステップＳ５５：Ｙｅｓ）、機器２０は、認証結果に含まれる画面ＩＤを用いて、表示画面情報保持部２０６が保持する表示画面情報の中から表示対象画面を特定する（ステップＳ５６）。
【０１１６】
次に、機器２０は、ログイン認証要求に含めた画面ＩＤ（１．０）と、認証結果に含まれる画面ＩＤに変更があるか否かを判断する（ステップＳ５７）。画面ＩＤに変更がない場合（ステップＳ５７：Ｎｏ）、機器２０は、画面ＩＤに変更なしの処理をして（ステップＳ５９）、ステップＳ６０に移行する。画面ＩＤに変更がある場合（ステップＳ５７：Ｙｅｓ）、機器２０は、画面に表示する画面ＩＤを変更する処理をする（ステップＳ５８）。
【０１１７】
次に、機器２０は、機器２０を使用したユーザのログアウト入力があるか否かを判断する（ステップＳ６０）。ログアウト入力がない場合（ステップＳ６０：Ｎｏ）、判断処理を繰り返す。ログアウト入力がある場合（ステップＳ６０：Ｙｅｓ）、機器２０は、自身の機種ＩＤを含む機器ＩＤを取得する（ステップＳ６１）。次に、機器２０は、ログアウトする直前に画面に表示した最終表示画面の画面ＩＤを取得する（ステップＳ６２）。次に、機器２０は、機器２０を使用したユーザのユーザＩＤと、機種ＩＤを含む機器ＩＤと、ログアウトする直前に画面に表示した最終表示画面の画面ＩＤ（１．２．１）を含む、ログアウト要求をサーバ装置１０に対して送信する（ステップＳ６３）。そして処理を終了する。
【０１１８】
以上の処理を認証システム１に実行させることにより、ユーザが異なる機種の機器（画像形成装置）２０を使用する場合でも機器（画像形成装置）２０に負荷をかけることなく、ユーザがログインして認証に成功した後に前回ログアウト直前に使用した画面を表示させることができる。
【０１１９】
以上に説明したように、本実施形態によれば、サーバ装置１０は、機器２０を使用するユーザのユーザ識別情報と、ユーザがログアウトした時の日時を示す日時情報と、ユーザが使用した機器２０の機器識別情報と、ログアウトする直前に画面に表示した表示画面を識別する画面識別情報とが対応付けられた複数のユーザ画面情報を保持する。また、サーバ装置１０は、画面識別情報ごとに、それぞれの機器２０が表示画面を表示できるか、又は表示画面を表示できない場合に代わりに表示させる画面識別情報を対応付けた情報を示す画面対応情報を保持する。そして、サーバ装置１０は、機器２０から受け付けた機器２０を使用するユーザを識別するユーザ識別情報とパスワードの組でユーザを認証した後に、ユーザ識別情報と機器識別情報との組がユーザ画面情報と異なる場合に、画面対応情報を参照して、画面識別情報を表示対象画面として特定する。そして、特定した画面識別情報を用いて前回ログアウト直前に使用した画面を表示させる。これにより、機器２０を使用するユーザが異なる機種の機器（画像形成装置）２０を使用する場合でも機器（画像形成装置）２０に負荷をかけることなく、機器２０を使用するユーザがログインして認証に成功した後に前回ログアウト直前に使用した画面を表示させることができる、という有利な効果を達成できる。
【０１２０】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施の形態に示される全構成要素から幾つかの構成要素を削除してもよい。さらに、異なる実施形態にわたる構成要素を適宜組み合わせてもよい。
【０１２１】
また、上述した各実施形態の認証システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０１２２】
なお、本実施形態のサーバ装置１０と、機器２０とが接続されたシステム構成は一例であり、用途や目的に応じて様々なシステム構成例があることは言うまでもない。
【符号の説明】
【０１２３】
１  認証システム
１０  サーバ装置
１１  制御装置
１２  操作端末
１３  記憶装置
１４  プロキシサーバ
１５  画面対応情報記憶エリア
１６  認証情報記憶エリア
１７  システムバス
２０、２０ａ、２０ｂ、２０ｃ  機器
３０  通信網
１０１  通信部
１０２  受付部
１０３  表示部
１０４  ユーザ画面情報保持部
１０５  登録認証情報保持部
１０６  認証部
１０７  表示画面特定部
１０８  画面識別情報送信部
１０９  画面対応情報保持部
１１０  更新部
１１１  制御部
２０１  通信部
２０２  受付部
２０３  表示部
２０４  使用情報送信部
２０５  ユーザ画面対応情報送信部
２０６  表示画面情報保持部
２０７  画面識別情報受信部
２０８  制御部
２１１  ＣＰＵ
２１２  ＳＤＲＡＭ
２１３  フラッシュメモリ
２１４  ＨＤＤ
２１５  ＡＳＩＣ
２１６  ＮＩＣ
２３０  コントローラボード
２３１  操作パネル
２３２  ＦＣＵ
２３３  ＵＳＢ
２３４  ＩＥＥＥ１３９４Ｉ／Ｆ
２３５  プロッタ／スキャナエンジン
２３６  周辺機
【先行技術文献】
【特許文献】
【０１２４】
【特許文献１】特開２００８−２７３１２６号公報
【特許文献２】特許第４８０１７５９号公報
【特許文献３】特開２０１２−５４９０１号公報
【特許文献４】特開２０１１−８２９４１号公報
【図１】
2015176531.tif 000003
【図２】
2015176531.tif 000004
【図３】
2015176531.tif 000005
【図４】
2015176531.tif 000006
【図５】
2015176531.tif 000007
【図６】
2015176531.tif 000008
【図７】
2015176531.tif 000009
【図８】
2015176531.tif 000010
【図９】
2015176531.tif 000011
【図１０】
2015176531.tif 000012
【図１１】
2015176531.tif 000013
【図１２】
2015176531.tif 000014